(57)【特許請求の範囲】
【請求項１】
内蔵した冷凍機によってケース内に陳列した商品を保冷するショーケースであって、前記冷凍機の構成要素である圧縮機，凝縮器，凝縮器用送風機等と、ドレン水を集め、該ドレン水を蒸発させるドレン水蒸発装置等とが、前記ケースの下部架台内部に設置される冷凍機内蔵型ショーケースにおいて、
前記凝縮器用送風機の流路と隔絶して、前記冷凍機の横に、ドレン水蒸発装置を設けるとともに、該ドレン水蒸発装置は、ドレン水を受ける受皿と、この受皿に設けられ、前記ドレン水を吸水して蒸発させる蒸発部材と、前記受皿の底面に吹き付けるように下向きに配置した専用の送風機とからなることを特徴とする冷凍機内蔵型ショーケース。
【請求項２】
前記ドレン水蒸発装置は、単体でキット化されることを特徴とする請求項１記載の冷凍機内蔵型ショーケース。
【発明の詳細な説明】
【０００１】
【発明の属する技術分野】
本発明は、ドレン水蒸発装置の配置を工夫するとともに、構造を改良した冷凍機内蔵型ショーケースに関する。
【０００２】
【従来の技術】
従来、凝縮器の熱交換が空冷式である冷凍機内蔵型のショーケースのドレン水蒸発装置として、特開平７−１３３９７７号公報及び特開平９−８９４４８号公報が開示されている。
いずれの公報とも、ショーケース３０の蒸発装置３１の蒸発部材に、直接、ドレン水を上から当てる構造になっているが、このドレン水は低温であり蒸発するのに時間がかかるため、図８に示すように、ドレン水蒸発装置３１を凝縮器３２用の送風機３３の流路に設け、この送風機３３の通風を当てて蒸発効果を向上させている。なお、３４は圧縮機、３５は冷凍機（コンデンシングユニット）、３６は蒸発部材、３７はドレン孔、３８はドレンホース、３９は電送ボックス、４０はケース用コントロールボックスである。
【０００３】
【発明が解決しようとする課題】
しかしなから、現在市場で使われている冷凍機内蔵型ショーケースは、凝縮器用送風機の通風を、高温になる圧縮機本体に当てているため、ドレン水蒸発装置を圧縮機の後方に配置しなければならず、通風が圧縮機に当たって左右に散ってしまい、通風を直接、ドレン水蒸発装置の蒸発部材に当てることは不可能であり、従って蒸発効果もあまり期待できない。
また、低温（０〜５℃）のドレン水を、直接蒸発部材の上から垂らしているため蒸散がしにくい。
更に、圧縮機の後方にドレン水蒸発装置を配置すると、ショーケースの奥行が大きくなってしまい、奥行の小さいショーケースには、従来のドレン水蒸発装置は使用できないという問題点もあった。
このような背景から、特開平９−８９４４８号公報では、ドレン水の量の多い多段ケース等には、ドレン水上昇装置ならびに警報装置等を設けているが、構造が複雑となり、コストアップの原因となってしまっている。
【０００４】
本発明は、上記の課題に鑑み創案されたもので、蒸発効果が期待でき、奥行の小さいショーケースにも適用できるとともに、コストダウンが図れ、かつ凝縮器の熱交換が水冷式であるショーケースにも適用できるドレン水の蒸発装置を備えた冷凍機内蔵型ショーケースを提供することを目的とする。
【０００５】
【課題を解決するための手段】
上記の課題を解決するため、本発明においては、内蔵した冷凍機によってケース内に陳列した商品を保冷するショーケースであって、前記冷凍機の構成要素である圧縮機，凝縮器，凝縮器用送風機等と、ドレン水を集め、該ドレン水を蒸発させるドレン水蒸発装置等とが、前記ケースの下部架台内部に設置される冷凍機内蔵型ショーケースにおいて、前記凝縮器用送風機の流路と隔絶して、前記冷凍機の横に、ドレン水蒸発装置を設けるとともに、該ドレン水蒸発装置は、ドレン水を受ける受皿と、この受皿に設けられ、前記ドレン水を吸水して蒸発させる蒸発部材と、前記受皿の底面に吹き付けるように下向きに配置した専用の送風機とからなることを特徴としている。
【０００６】
そして、このドレン水蒸発装置は、単体でキット化されることが望ましい。
【０００７】
このような構成を採用することにより、奥行の小さいショーケースにおいても、ドレン水蒸発装置を冷凍機の横のスペースに設置することができる。また、ドレン水蒸発装置に専用の送風機を取り付けることにより、ドレン水の蒸発効果も向上させることができる。
【０００８】
【発明の実施の形態】
以下、本発明の好ましい実施の形態を図面に基づいて説明する。図１は本発明を適用した冷凍機内蔵型ショーケースの斜視図、図２は同じくショーケースの架台内部の平面図、図３は同じくショーケースの要部断面側面図である。また、図４はドレン水蒸発装置の分解斜視図、図５は蒸発部材と固定部材の分解斜視図、図６は平面図、図７は側面図である。
【０００９】
まず、図１乃至図３に示すように、この種の平型ショーケース１は、上部開放の箱形に形成された商品陳列部２と、この商品陳列部２を適度の高さに保つ架台部３とから構成され、架台部３内に冷凍機（コンデンシングユニット）４が内蔵されている。即ち、この冷凍機４の構成要素である凝縮器５が正面に設けられ、その後方に、エアを誘引させる凝縮器用送風機６が、更にその後方に、圧縮機７が配置されている。なお、８は電装ボックスである。そして、この冷凍機４内のエアフローは、正面吸い込み、背面吹き出しの構成となっている。
【００１０】
ところで、従来のドレン水蒸発装置はこのエアフローを利用して、圧縮機７の後方の流路に設けられていたが、本発明は、この凝縮器用送風機６の流路と隔絶して、冷凍機４の横に、ドレン水蒸発装置９を設けている。そして、図３に示すように、商品陳列部２の下端にドレン孔１０を穿孔して、ドレンホース１１にてドレン水蒸発装置９の受皿１２にドレン水を落下させるように構成している。なお、１３はケース用コントロールボックスである。
【００１１】
次に、本発明の要旨となるドレン水蒸発装置９について、図４乃至図７に基づいて説明する。
このドレン水蒸発装置９は、前記ドレンホース１１より落下するドレン水を受けるドレン受皿１２と、該ドレン受皿１２に溜ったドレン水を毛細管現象で吸水して蒸発させる多数枚の蒸発部材１６と、前記ドレン受皿１２の底面に吹き付けるように、下向きに配置された専用の送風機１７により概ね構成される。
【００１２】
前記ドレン受皿１２は、下辺が開放された逆凸状の受皿スライドレール１８に、前後方向に移動可能に載置されている。この受皿スライドレール１８の後方には、コ字状のファンモータ取付金具１９が設けられ、その上に専用の送風機１７が取り付けられている。受皿スライドレール１８の最前部にはストッパ２０が、最後部にはめくら板が夫々設けられている。
前記ドレン受皿１２の一側の略中央には、コ字状を呈した蒸発部材固定金具２１が溶着されており、この開口部に蒸発部材１６が取り付けられる。蒸発部材１６の夫々の板は、その両サイドの縦方向に切欠き１６ａ，１６ａを有し、その切欠き１６ａに固定部材２２，２２の櫛歯状の切欠き２２ａ，２２ａ…が嵌合されて一体化される（図５参照）。
【００１３】
この蒸発部材１６の材質は、ポリエステル繊維等の不織布を基材とし、この基材に微粒子のフェノールを熱硬化させて固着剤とし、更に親水性を付与してアルコール系の溶剤に浸した後、乾燥させたものを使用するとよい。
なお、このドレン水蒸発装置９は、ショーケースの種類や大きさに関係なく適用でき、単体でキット化されるものである。
【００１４】
このように構成すると、奥行の小さいショーケースにおいても、ドレン水蒸発装置を冷凍機の横に設置できるとともに、専用の送風機を採用したので、ドレン水の蒸発効果が向上する。
【００１５】
【発明の効果】
以上説明したように、本発明の冷凍機内蔵型ショーケースによれば、次のような効果を奏する。
（１）専用の送風機をドレン受皿の底面に向けて吹き出すことによって、ドレン水の水温が上昇し、蒸発部材に吸水されると蒸発しやすい状態になる。また、底面に吹き付けた風は、蒸発部材に直接当たるので、蒸発部材の蒸発効果は更に向上する。
（２）冷凍機の横に設置するので、奥行の小さいショーケースにも利用できる。
（３）凝縮器の熱交換を空冷で行うショーケース以外に、水冷で行うショーケースにも利用できる。
（４）  専用の送風機により、蒸発効果を高めたので、従来の特開平９−８９４４８号公報のような蒸発部材の上昇装置ならびに警報装置は不要となり、コストダウンが図れる。そして、特に、本発明はドレン排水量の多い多段ショーケースにも使用できる。
【図面の簡単な説明】
【図１】  本発明を適用した冷凍機内蔵型ショーケースの斜視図である。
【図２】  本発明を適用したショーケースの架台内部の平面図である。
【図３】  本発明を適用したショーケースの要部断面側面図である。
【図４】  本発明の分解斜視図である。
【図５】  本発明の蒸発部材と固定部材の分解斜視図である。
【図６】  本発明の平面図である。
【図７】  本発明の側面図である。
【図８】  従来の冷凍機内蔵型ショーケースの架台内部の平面図である。
【符号の説明】
１    ショーケース
２    商品陳列部
３    架台部
４    冷凍機
５    凝縮器
６    凝縮機用送風機
７    圧縮機
８    電装ボックス
９    ドレン水蒸発装置
１０    ドレン孔
１１    ドレンホース
１２    ドレン受皿
１３    ケース用コントロールボックス
１６    蒸発部材
１６ａ  切欠き
１７    送風機
１８    受皿スライドレール
１９    ファンモータ取付金具
２０    ストッパ
２１    蒸発部材固定金具
２２    固定部材
２２ａ  切欠き
【図１】
0003922603.tif 000002
【図２】
0003922603.tif 000003
【図３】
0003922603.tif 000004
【図４】
0003922603.tif 000005
【図５】
0003922603.tif 000006
【図６】
0003922603.tif 000007
【図７】
0003922603.tif 000008
【図８】
0003922603.tif 000009